(57)【要約】 【課題】  ドアの開錠作業とドアや壁に取り付けたＩＣタグのデータ書き込みおよび読み取り動作にて、作業ミスの発生を防止した、また巡回作業の履歴が取れる非接触ＩＣタグリーダライタおよび鍵データの書き込みおよび読み出し方法を得る。【解決手段】  巡回作業の履歴に関する一連のデータを、ドアに配置されたＩＣタグを介して非接触にて書き込み、および読み出しを行う非接触ＩＣタグリーダライタであって、前記非接触ＩＣタグリーダライタのループアンテナ２００が、前記開錠作業にかかわる複数個の鍵７ａ，７ｂ，７ｃを束ねるキーリング６と合体された、キーホルダー２の中に収納された非接触ＩＣタグリーダライタとする。【選択図】  図１
2006146396.tif 000002
【特許請求の範囲】
【請求項１】
巡回作業履歴に関する一連のデータを、ドアに配置されたＩＣタグとの間で非接触にて書き込み、および、または読み出しを行う非接触ＩＣタグリーダライタにおいて、前記非接触ＩＣタグリーダライタのリーダライタ用アンテナが、前記巡回作業にかかわる鍵を、束ねる部材と合体された、プレート板に収納されたことを特徴とする非接触ＩＣタグリーダライタ。
【請求項２】
前記リーダライタ用アンテナは、ループアンテナとすることを特徴とする請求項１に記載の非接触ＩＣタグリーダライタ。 
【請求項３】
前記リーダライタ用アンテナは、ダイポールアンテナとすることを特徴とする請求項１に記載の非接触ＩＣタグリーダライタ。    
【請求項４】
前記リーダライタ用アンテナは、マイクロストリップアンテナとすることを特徴とする請求項１に記載の非接触ＩＣタグリーダライタ。    
【請求項５】
前記鍵を束ねる部材と、リーダライタ用アンテナが収納されたプレート板の間に、アタッチメントが設けられ、前記アタッチメントは、前記リーダライタアンテナが収納されたプレート板の平面方向が、前記巡回作業にかかわるドアに配置されたＩＣタグの平面方向と、平行に面して通信できるように、作用することを特徴とする請求項１ないし４のいずれかに記載の非接触ＩＣタグリーダライタ。
【請求項６】
前記鍵を束ねる部材に、少なくとも１個以上のストッパー機構を設け、前記鍵がリーダライタ用アンテナに重なるのを防止することを特徴とする請求項１ないし５のいずれかに記載の非接触ＩＣタグリーダライタ。
【請求項７】
前記ドアの開錠動作を行うことで、前記非接触ＩＣタグのデータを自動的に書き込みおよび読み出しが行われることを特徴とする請求項１ないし６のいずれかに記載の非接触ＩＣタグリーダライタ。
【請求項８】
開錠作業に関する一連のデータを、非接触ＩＣタグリーダライタを用いて、非接触にて書き込み、および読み出しを行う鍵データの書き込み読み出し方法において、前記非接触ＩＣタグリーダライタのリーダライタ用アンテナを、前記開錠作業にかかわる複数個の鍵を、束ねる部材と合体された、プレート板に収納し、前記複数個の鍵を、束ねる部材と、リーダライタ用アンテナが収納されたプレート板の間に、アタッチメントを設け、前記アタッチメントが、前記リーダライタアンテナが収納されたプレート板の平面方向が、開錠作業にかかわるドアに配置されたＩＣタグの平面方向と、平行に面して通信できるようにし、また、前記複数個の鍵を束ねる部材に、少なくとも１個以上のストッパー機構を設け、前記鍵がリーダライタ用アンテナに重なるのを防止し、ドアの開錠動作を行うことで、前記非接触ＩＣタグのデータを自動的に書き込みおよび読み出しが行われることを特徴とする鍵データの書き込み読み出し方法。
【発明の詳細な説明】
【技術分野】
【０００１】
本発明は、電磁結合方式、電磁誘導方式、または電波方式などにより非接触でデータの書き込みおよび読み出しを行う非接触ＩＣタグリーダライタおよび鍵データの書き込み読み出し方法に関するものである。
【背景技術】
【０００２】
近年、非接触でデータの書き込みおよび読み出しを行うデータキャリア、ＲＦＩＤ（Radio  Frequency  Identification）、無線タグ、またはＩＣタグと呼称される通信媒体が普及しつつある。
【０００３】
この種の非接触ＩＣタグ（以下、ＩＣタグと称す）および非接触ＩＣタグリーダライタ（以下、リーダライタと称す）の用途の一つとして、ビル管理・警備・ホームセキュリティーサービスなどで巡回を行った際の履歴をとる用途がある。巡回作業の履歴を取るために使用されるリーダライタは、ハンディターミナル型、ＰＤＡ（Personal  Digital  Assistance）取り付け型などを用いて、ＩＣタグにかざしてデータの書き込みおよび読み取り動作を行っている。
【０００４】
図５は、従来のリーダライタの外観図である。図５には、ＰＤＡ取り付け型の例を示している。また、図６は、従来の他の例によるリーダライタの外観図である。図６には、ハンディターミナル型の例を示している。
【０００５】
特許文献１には、第１のＲＦＩＤタグと、非接触で交信するリーダライタアンテナとを、設けた手袋によって、対象物に配置された第２のＲＦＩＤタグとの間にて、データの読み出し、書き込みを行う方法が記載されている。
【０００６】
【特許文献１】特開２００２−３５２２００号公報
【発明の開示】
【発明が解決しようとする課題】
【０００７】
ハンディターミナル型やＰＤＡ取り付け型リーダライタを用い、ドアの開錠作業とドアや壁に取り付けたＩＣタグのデータ書き込みおよび読み取り動作を行う場合、この二動作がオフライン化されているため、作業ミスが発生すると巡回作業の履歴が取れないという問題があった。
【０００８】
本発明の課題は、ドアの開錠作業とドアや壁に取り付けたＩＣタグのデータ書き込みおよび読み取り動作にて、作業ミスの発生を防止した、また巡回作業の履歴が取れる非接触ＩＣタグリーダライタおよび鍵データの書き込み読み出し方法を得ることである。
【課題を解決するための手段】
【０００９】
本発明は、リーダライタアンテナをキーホルダー形状とし、且つ鍵がアンテナに重ならない機構を設け、鍵を一緒にぶら下げる構成とし、ドアや壁に貼り付けたＩＣタグとリーダライタアンテナが平行になるようにしてデータ書き込み・読み取り動作を、ドア開錠動作と同時に行うことにより上記課題を解決しようとするものである。
【００１０】
即ち、本発明は、巡回作業履歴に関する一連のデータを、ドアに配置されたＩＣタグとの間で非接触にて書き込み、および読み出しを行う非接触ＩＣタグリーダライタにおいて、前記非接触ＩＣタグリーダライタのリーダライタ用アンテナが、前記開錠作業にかかわる複数個の鍵を、束ねる部材と合体された、板状のプレート板の中に収納された非接触ＩＣタグリーダライタである。
【００１１】
また、本発明は、前記リーダライタ用アンテナはループアンテナとする非接触ＩＣタグリーダライタである。 
【００１２】
また、本発明は、前記リーダライタ用アンテナはダイポールアンテナとする非接触ＩＣタグリーダライタである。
【００１３】
また、本発明は、前記リーダライタ用アンテナはマイクロストリップアンテナとする非接触ＩＣタグリーダライタである。
【００１４】
また、本発明は、前記複数個の鍵を束ねる部材と、リーダライタ用アンテナが収納された板状のプレート板の間にアタッチメントが設けられ、前記アタッチメントは、前記リーダライタアンテナが収納された板状のプレート板の平面方向が、開錠作業にかかわるドアに配置されたＩＣタグの平面方向と平行に面して通信できるように、作用する非接触ＩＣタグリーダライタである。  
【００１５】
また、本発明は、前記非接触ＩＣタグリーダライタにおいて、前記複数個の鍵を束ねる部材に、少なくとも１個以上のストッパー機構を設け、前記鍵がリーダライタ用アンテナに重なるのを防止する非接触ＩＣタグリーダライタである。
【００１６】
また、本発明は、前記非接触ＩＣタグリーダライタにおいてドアの開錠動作を行うことで、ドアの鍵穴の下に取り付けた非接触ＩＣタグのデータを自動的に（無意識に）書き込みおよび読み出しが行われる非接触ＩＣタグリーダライタである。
【００１７】
また、本発明は、開錠作業に関する一連のデータを、非接触ＩＣタグリーダライタを用いて、非接触にて書き込みおよび読み出しを行う鍵データの書き込み読み出し方法において、前記非接触ＩＣタグリーダライタのリーダライタ用アンテナを、前記開錠作業にかかわる複数個の鍵を、束ねる部材と合体された、板状のプレート板の中に収納し、前記複数個の鍵を、束ねる部材と、リーダライタ用アンテナが収納された板状のプレート板の間にアタッチメントを設け、前記アタッチメントが、前記リーダライタアンテナが収納されたプレート板の平面方向が、開錠作業にかかわるドアに配置されたＩＣタグの平面方向と、平行に面して通信できるようにし、また、前記複数個の鍵を束ねる部材に、少なくとも１個以上のストッパー機構を設け、前記鍵がリーダライタ用アンテナに重なるのを防止し、ドアの開錠動作を行うことで、ドアの鍵穴の下に取り付けた非接触ＩＣタグのデータを自動的に書き込みおよび読み出しが行われる鍵データの書き込み読み出し方法である。
【００１８】
以上のことにより、作業者が開錠するためキーを鍵穴に近づけることで自動的に（無意識のうちに）ＩＣタグのデータ書き込みおよび読み取りすることができ、作業者のデータ書き込みおよび読み取り動作に依存することなく巡回作業履歴を取ることが可能となるリーダライタが提供可能となる。
【発明の効果】
【００１９】
本発明によれば、リーダライタのアンテナをキーホルダー形状とし、且つ鍵がアンテナに重ならない機構を設け、鍵を一緒にぶら下げる構成とし、作業者が開錠するためキーを鍵穴に近づけることで無意識のうちにＩＣタグのデータ書き込みおよび読み取りすることができ、作業者のデータ書き込みおよび読み取り動作に依存することなく巡回作業履歴を取ることが可能となる非接触ＩＣタグリーダライタおよび鍵データの書き込み読み出し方法が提供できる。
【発明を実施するための最良の形態】
【００２０】
本発明の非接触ＩＣタグリーダライタは、巡回作業の履歴に関する一連のデータを、ＲＦＩＤから非接触にて書き込み、および読み出しを行う非接触ＩＣタグリーダライタであって、前記非接触ＩＣタグリーダライタのリーダライタ用アンテナを、前記開錠作業にかかわる複数個の鍵を、束ねる部材と合体された、プレート板に収納し、前記複数個の鍵を束ねる部材と、リーダライタ用アンテナが収納されたプレート板の間に、アタッチメントが設けられ、前記アタッチメントは、前記リーダライタアンテナが収納されたプレート板の平面方向が、開錠作業にかかわるドアに配置されたＩＣタグの平面方向と、平行に面して通信できるようにしたものである。
【００２１】
ここで、前記リーダライタ用アンテナは、その形状をループアンテナ、あるいはダイポールアンテナ、あるいはマイクロストリップアンテナとする。また、 前記複数個の鍵を束ねる部材に、少なくとも１個以上のストッパー機構を設けている。このストッパー機構によって、前記複数個の鍵がリーダライタ用アンテナに重なるのを防止することができる。鍵がリーダライタ用アンテナに密着するか、または極端に接近することにより、非接触ＩＣリーダライタからの送信周波数がずれ、読み込み、書き込み不良となることを防止している。また、リーダライタ制御部は、作業者の腰などに固定され、リーダライタ制御部とリーダライタ用アンテナとは、ケーブルで結ばれている。  
【００２２】
本発明の非接触ＩＣタグリーダライタでは、巡回作業の履歴を取得するために、対象とするドアの開錠動作を行うことで、ドアの鍵穴の下に配置された非接触ＩＣタグのデータの自動的な書き込みおよび読み出しが行われる。このように、自動的にデータの書き込みおよび読み出しが行われるため、作業ミスの発生を防ぐことができ、巡回作業の履歴が確実に取れる。
【実施例１】
【００２３】
以下、本発明の実施例の非接触ＩＣタグリーダライタおよび鍵データの書き込み読み出し方法について図面を参照しながら詳述する。    
【００２４】
図１は、本発明の非接触ＩＣタグリーダライタの平面図を示している。鍵を取り付けるキーリング６に３個の鍵７ａ，７ｂ，７ｃと一緒に取り付けられ、取り外しが可能となっている。キーホルダー２内に内蔵されているリーダライタ用アンテナ２００（ループ状形状）へ、鍵７ａ，７ｂ，７ｃのいずれかの鍵の金属部が重なってしまうと、非接触ＩＣタグリーダライタの同調ずれによる通信距離の低下などが発生し、ドアに配置されたＩＣタグ（図示していない）と正常に通信できなくなる可能性がある。
【００２５】
このため、鍵７ａ，７ｂ，７ｃがリーダライタ用アンテナ２へ重ならないようなストッパー８ａ，８ｂがキーリング６に設けられている。        
【００２６】
鍵７ａの一つを使用しようとした場合、鍵７ａはキーリングの上部、残りの鍵７ｂ，７ｃは全てキーリング６の下部に移動する。残りの鍵７ｂ，７ｃはストッパー８ａ，８ｂの位置で止まるため、ループアンテナ２００に重なることはない。
【００２７】
ここで、キーリング６に取り付けられたループアンテナ２００は、ＩＣタグとの通信時に平行になるようにアタッチメント１１aが設けられている。図１においては、アタッチメント１１ａは、帯状となっている。
【００２８】
なお、図１の中で、４はリーダライタ制御部である。リーダライタ制御部４は、ループアンテナ２００と任意の長さのケーブル５で接続され、作業者１の腰やポケットなど邪魔にならない位置に収納される。
【００２９】
また、リーダライタ制御部４には、データの書き込み・読み出しを行った内容を保持するためのデータのメモリ機能、データ書き込み・読み出しを行ったことを知らせるためのブザー・ＬＥＤ・液晶などが搭載されている。リーダライタはパソコンとＲＳ−２３２Ｃ，ＵＳＢ，イーサーネットなどのインタフェースを使用して接続可能であり、保持したデータのメモリを読み出すことができる。
【００３０】
図３は、本発明に用いられるＩＣタグ３の平面図であり、内部にアンテナコイル９およびＩＣチップ１０からなる状態を示している。ＩＣタグ３は、ポリ塩化ビニール（ＰＶＣ）やポリエチレンテレフタート（ＰＥＴ）などのプラスチック材料を用い、熱プレス成形またはラミネート成形により、アンテナコイル９およびＩＣチップ１０を内部に埋設して製造される。
【００３１】
図４は、本発明の非接触ＩＣタグリーダライタの使用方法について示している。ＩＣタグ３はドアの鍵穴下部に取り付けている。また、キーホルダー２は、鍵７ａ，７ｂ，７ｃと一緒にキーリング６にアタッチメントを介して取り付けられている。ドアの開錠動作を行うために鍵７をドアの鍵穴近辺に近づけた時、ＩＣタグ３とキーホルダー２が平行に近い位置となり、データの書き込み・読み出しが行うことができる。この時、書き込み・読み出しを行った内容はリーダライタ制御部４のメモリに記憶され、ブザー・ＬＥＤ・液晶などを使用してデータの書き込み・読み出しを行ったことを作業者１に知らせる。
【００３２】
また、本実施例は、ドアにＩＣタグ３を貼り付けて使用しているが、これに限らず、壁や床に取り付けて使用した場合でも本発明の技術が適用可能である。
【実施例２】
【００３３】
図２は、本発明の実施例２の非接触ＩＣタグリーダライタの平面図を示している。鍵を取り付けるキーリング６に３個の鍵７ａ，７ｂ，７ｃと一緒に取り付けられ、取り外しが可能となっている。
【００３４】
キーホルダー２１内に内蔵されているダイポールアンテナ２０１へ鍵７ａ，７ｂ，７ｃのどれかの鍵の金属部が重なってしまうと、非接触ＩＣタグリーダライタの同調ずれによる通信距離の低下などが発生し、ドアに配置されたＩＣタグ（図示していない）と正常に通信できなくなる可能性がある。このため、鍵７ａ，７ｂ，７ｃがダイポールアンテナ２０１へ重ならないようなストッパー８が設けられている。  
【００３５】
ここで、キーリング６に取り付けられたダイポールアンテナ２０１は、ＩＣタグとの通信時に平行になるようにアタッチメント１１ｂが設けられている。図２においては、アタッチメント１１ｂは、リング状となっている。
【００３６】
なお、図２の中で、４はリーダライタ制御部である。リーダライタ制御部４はダイポールアンテナ２０１と任意の長さのケーブル５で接続され、作業者１の腰やポケットなど邪魔にならない位置に収納される。
【００３７】
また、リーダライタ制御部４には、データの書き込み・読み出しを行った内容を保持するためのデータのメモリ機能、データ書き込み・読み出しを行ったことを知らせるためのブザー・ＬＥＤ・液晶などが搭載されている。
【００３８】
リーダライタは、パソコンとＲＳ−２３２Ｃ、ＵＳＢ、イーサーネットなどのインタフェースを使用して接続可能であり、保持したデータのメモリを読み出すことができる。
【図面の簡単な説明】
【００３９】
【図１】本発明の実施例１による非接触ＩＣタグリーダライタの平面図。
【図２】本発明の実施例２による非接触ＩＣタグリーダライタアンテナの平面図。
【図３】ＩＣタグの平面図。
【図４】本発明の使用方法を示す図。
【図５】従来のリーダライタの外観図（ＰＤＡ取り付け型）。
【図６】従来の他の例のリーダライタの外観図（ハンディターミナル型）。
【符号の説明】
【００４０】
１    作業者
２，２１    キーホルダー
２００     ループアンテナ
２０１    ダイポールアンテナ     
３    ＩＣタグ
４    リーダライタ制御部
５    ケーブル
６    キーリング
７ａ，７ｂ，７ｃ    鍵    
８，８ａ，８ｂ    ストッパー
９    アンテナコイル
１０    ＩＣチップ
１１ａ，１１ｂ    アタッチメント
１２    リーダライタ
１３    ＰＤＡ
【図１】
2006146396.tif 000003
【図２】
2006146396.tif 000004
【図３】
2006146396.tif 000005
【図４】
2006146396.tif 000006
【図５】
2006146396.tif 000007
【図６】
2006146396.tif 000008